(57)【要約】      （修正有）【課題】生産コストが低く、被測定者に容易に使用できる、血流測定装置及びその血流測定器を提供する。【解決手段】血流測定装置及びその血流測定器は、血流測定器１０が、被覆片１００と、複数の光トランスミッタ２００と、複数の光レシーバ３００と、傾きセンサー４００と、信号出力インターフェイスを含み、被覆片が測定表面１１０を含み、光トランスミッタが被覆片に設置され、測定表面から外に向かって発光し、光レシーバが被覆片に設置され、測定表面に露出されて測定表面外部の光線を接受し、傾きセンサーが被覆片に設置され、血流測定器の傾きの変化を測定し、信号出力インターフェイスが光レシーバ及び傾きセンサーに接続され、光レシーバと傾きセンサーの測定信号を出力する。【選択図】図２
0003215567.tif 000002
【実用新案登録請求の範囲】
【請求項１】
血流測定器であって、
測定表面を含む被覆片と、
該被覆片に設置され、該測定表面から外に向かって発光する少なくとも１つの光トランスミッタと、
該被覆片に設置され、該測定表面に露出されて該測定表面外部の光線を接受する少なくとも１つの光レシーバと、
該被覆片に設置され、該血流測定器の傾き変化を測定する傾きセンサーと、
該少なくとも１つの光レシーバ及び該傾きセンサーに接続され、該少なくとも１つの光レシーバと該傾きセンサーの測定信号を出力する信号出力インターフェイスと、を含むことを特徴とする、
血流測定器。
【請求項２】
前記傾きセンサーが三軸加速度計と、三軸ジャイロスコープのうちのいずれかまたはその組み合わせを含むことを特徴とする、請求項１に記載の血流測定器。
【請求項３】
前記信号出力インターフェイスが無線通信インターフェイスであることを特徴とする、請求項１に記載の血流測定器。
【請求項４】
前記信号出力インターフェイスが有線通信インターフェイスであることを特徴とする、請求項１に記載の血流測定器。
【請求項５】
前記少なくとも１つの光トランスミッタに電気的に接続され、該少なくとも１つの光トランスミッタのうちの少なくとも１つの発光強弱または発光頻度を制御する、コントローラユニットを含むことを特徴とする、請求項１に記載の血流測定器。
【請求項６】
前記少なくとも１つの光レシーバ、該傾きセンサー、該信号出力インターフェイスの間に設置され、該少なくとも１つの光レシーバと該傾きセンサーの該測定信号を前処理し、該信号出力インターフェイスの出力に提供する信号前処理回路を含むことを特徴とする、請求項１に記載の血流測定器。
【請求項７】
前記信号前処理回路が、該傾きセンサーの該測定信号に基づき該少なくとも１つの光レシーバの該測定信号を校正することを特徴とする、請求項６に記載の血流測定器。
【請求項８】
前記光トランスミッタが発する光の波長が７５０〜８６０ｎｍの間であることを特徴とする、請求項１に記載の血流測定器。
【請求項９】
前記光トランスミッタが発する光の波長が７５０〜７７０ｎｍの間、８０５〜８１５ｎｍの間、８４０〜８６０ｎｍの間のうちのいずれか、またはその任意の組み合わせであることを特徴とする、請求項８に記載の血流測定器。
【請求項１０】
前記光トランスミッタが発する光の波長が８００〜８２０ｎｍの間であることを特徴とする、請求項８に記載の血流測定器。
【請求項１１】
血流測定装置であって、
請求項１乃至１０のいずれか一項に記載の血流測定器と、
前記血流測定器の該信号出力インターフェイスに電気的に接続され、該少なくとも１つの光レシーバと該傾きセンサーの該測定信号を接受し、該傾きセンサーの該測定信号に基づき該光レシーバの該測定信号を校正する計算装置と、を含むことを特徴とする、
血流測定装置。
【請求項１２】
血流測定装置であって、
請求項１乃至１０のいずれか一項に記載の血流測定器と、
前記血流測定器の信号出力インターフェイスに電気的に接続され、少なくとも１つの該光レシーバと該傾きセンサーの測定信号を接受する計算裝置と、を含むことを特徴とする、
血流測定装置。
【考案の詳細な説明】
【技術分野】
【０００１】
本考案は測定器に関し、特に、血流測定装置及びその血流測定器に関する。
【背景技術】
【０００２】
近年、核磁気共鳴画像技術は脳部の活動状況の観察に応用され、精神科医師の判断を補助しているが、核磁気共鳴画像設備は高価で、測定時の騒音と環境が患者に対してストレスを生じやすい。
【考案の概要】
【考案が解決しようとする課題】
【０００３】
本考案の目的は、生産コストが低く、被測定者に容易に使用できる、血流測定装置及びその血流測定器を提供することにある。
【課題を解決するための手段】
【０００４】
本考案の一実施例の血流測定器は、被覆片と、少なくとも１つの光トランスミッタと、少なくとも１つの光レシーバと、傾きセンサーと、信号出力インターフェイスを含み、被覆片が測定表面を含み、光トランスミッタが被覆片に設置され、測定表面から外に向かって発光し、光レシーバが被覆片に設置され、測定表面に露出されて測定表面外部の光線を接受し、傾きセンサーが被覆片に設置され、血流測定器の傾きの変化を測定し、信号出力インターフェイスが光レシーバ及び傾きセンサーに接続され、光レシーバと傾きセンサーの測定信号を出力する。
【０００５】
本考案の一実施例の血流測定装置は、前記血流測定器と、計算装置を含み、計算装置が該血流測定器の信号出力インターフェイスに電気的に接続され、光レシーバと傾きセンサーの測定信号を接受する。
【考案の効果】
【０００６】
本考案の実施例の血流測定器は、生産コストが低く、被測定者に容易に使用することができる。同時に、傾きセンサーの信号が光レシーバの信号をより最適化し、光レシーバの信号の判読に有利である。
【図面の簡単な説明】
【０００７】
【図１】本考案の一実施例の血流測定器の立体図１である。
【図２】本考案の一実施例の血流測定器の立体図２である。
【図３】本考案の一実施例の血流測定器のブロック図１である。
【図４】本考案の一実施例の血流測定器のブロック図２である。
【図５】本考案の一実施例の血流測定装置のブロック図である。
【図６】本考案の一実施例の血流測定器の使用を示す概略図１である。
【図７】本考案の一実施例の血流測定器の使用を示す概略図２である。
【図８】本考案の別の一実施例の血流測定器の使用を示す概略図である。
【図９】本考案のさらに別の一実施例の血流測定器の使用を示す概略図である。
【考案を実施するための形態】
【０００８】
図１と図２に本考案一実施例の血流測定器１０の異なる角度の立体図、図３に本考案の一実施例の血流測定器１０のブロック図を示す。
血流測定器１０は、被覆片１００と、光トランスミッタ２００と、光レシーバ３００と、傾きセンサー４００と、信号出力インターフェイス５００を含む。ここでは、複数の光トランスミッタ２００と複数の光レシーバ３００を例として説明するが、本考案の実施例はこれに限らず、１つの光トランスミッタ２００と１つの光レシーバ３００としてもよい。
【０００９】
被覆片１００は長い形を呈し、測定表面１１０を含み、測定表面１１０は被測定者の頭上を被覆するために用いられる。
図６、図７に示すように、血流測定器１０が被測定者の額の位置を被覆している。しかしながら、本考案は血流測定器１０を被測定者の額位置の被覆のみに制限する必要があるわけではない。別の一実施例において、血流測定器１０は被測定者の後頭部を被覆することができる（図８参照）。つまり、被測定者の脳部の活動を観察したい位置に基づき、血流測定器１０を設置することができる。一部の実施例において、血流測定器１０は、胴体や四肢等その他の場所に配置してもよく、筋肉運動の酸素含有量と酸素消費量の変化の測定に用い、被測定者の筋肉特性の分析と判断に利用でき、被測定者が瞬発力の強い運動や筋持久力の強い運動に適しているかを知ることができる。
図９に血流測定器１０を上腕に配置した状態を示す。別の一実施例において、血流測定器１０は大腿部、ふくらはぎ（図示しない）に配置してもよい。
【００１０】
一実施例において、血流測定器１０は粘着方式で被測定者の体表に固定される。但し、本考案の実施例はこれに限らず、ベルトなどその他の方法で固定してもよい。
【００１１】
図１と図２に示すように、光トランスミッタ２００は被覆片１００に設置され、該測定表面から外に向かって発光することができる。ここで、被測定者の皮膚を通過させて光線を皮下血管に進入させるため、光トランスミッタ２００が出力する光の波長は赤色光、近赤外光の波長範囲とする。光レシーバ３００は被覆片１００に設置され、測定表面１１０に露出されて測定表面１１０外部の光線を接受する。つまり、血流測定器１０は被測定者の体表を被覆し、光レシーバ３００が接受した光線は被測定者の体表に反射された光トランスミッタ２００の出力する光である。
本実施例において、光トランスミッタ２００と光レシーバ３００は対を成す方式で設置される。つまり、１個の光トランスミッタ２００と１個の光レシーバ３００を１組として、相隣して設置される。しかしながら、本考案の実施例は光トランスミッタ２００と光レシーバ３００を一対一の対応関係に限定しない。一実施例において、光トランスミッタ２００と光レシーバ３００は一対複数の対応関係としてもよい。つまり、１個の光トランスミッタ２００に複数の光レシーバ３００を対応させる、または１個の光レシーバ３００に複数の光トランスミッタ２００を対応させることもできる。
【００１２】
一実施例において、前述の赤色光、近赤外光の波長は７５０〜８６０ｎｍの間とすることができる。別の一実施例において、前述の赤色光、近赤外光の波長は８００〜８２０ｎｍの間である。さらに別の一実施例において、前述の赤色光、近赤外光の波長は７５０〜７７０ｎｍの間、８０５〜８１５ｎｍの間、または８４０〜８６０ｎｍの間である。
【００１３】
一実施例において、光トランスミッタ２００はそのうち１つの前述の波長範囲を出力する。別の一実施例において、光トランスミッタ２００は２つまたは２つ以上の前述の波長範囲を出力する。例えば、１個の光トランスミッタが７５０〜８６０ｎｍと８００〜８２０ｎｍの２種類の波長範囲の光を出力する。ここで、光トランスミッタ２００は２つの光源を備え、２種類の波長範囲の光を出力する。一実施例において、光トランスミッタ２００はこれら２種類の波長範囲の光を同時に出力する。別の一実施例において、光トランスミッタ２００はこれら２種類の波長範囲の光を交互に切り換える。
【００１４】
一実施例において、これら光トランスミッタ２００と光レシーバ３００は線形に配列され、特に、被覆片１００中央の長軸に沿って配列される。
【００１５】
傾きセンサー４００は同様に被覆片１００に設置され、該血流測定器１０の傾き変化を測定するために用いられる。
図３に示すように、傾きセンサー４００は三軸加速度計４１０と、三軸ジャイロスコープ４２０を含む。三軸加速度計４１０は三軸方向上の加速度を測定するために用いられ、三軸ジャイロスコープ４２０は三軸方向上の角速度を測定するために用いられる。三軸加速度数値と三軸角加速度数値を通じて、血流測定器１０の傾き角度と移動、回動変化を正確に計算することができる。
【００１６】
信号出力インターフェイス５００は光レシーバ３００及び傾きセンサー４００に接続され、光レシーバ３００と傾きセンサー４００の測定信号を出力する。一実施例において、信号出力インターフェイス５００は無線通信インターフェイスであり、無線通信インターフェイスは例えばＢｌｕｅｔｏｏｔｈ（登録商標）、ｚｉｇｂｅｅ（登録商標）、ワイヤレスネットワーク等とすることができる。別の一実施例において、信号出力インターフェイス５００は有線通信インターフェイスであり、有線通信インターフェイスは例えばシリアルペリフェラルインタフェース（ＳＰＩ）、汎用入出力（ＧＰＩＯ）等とすることができる。
血流測定器１０は、信号出力インターフェイス５００を介して外部のコンピュータ装置に接続し、信号出力インターフェイス５００を介して光レシーバ３００と傾きセンサー４００の測定信号を取得して、被測定者の脳血流活動を分析することができる。脳血流活動状況から脳の活動状況を推察することができ、例えば血液の流動がより多い場所は、当該区域の脳活動がより活発であることを表す。
【００１７】
図３に示すように、血流測定器１０はさらに光レシーバ３００、傾きセンサー４００、信号出力インターフェイス５００の間に設置された信号前処理回路６００を含むことができる。信号前処理回路６００は光レシーバ３００と傾きセンサー４００の測定信号を前処理し、信号出力インターフェイス５００の出力に提供するために用いられる。
信号前処理回路６００はノイズを除去するフィルタ及びアナログデジタル変換器等を含むことができる。特に、信号前処理回路６００はさらに傾きセンサー４００の測定信号に基づき光レシーバ３００の測定信号を校正することができる。ここでは、カルマンフィルタ等の逐次ベイズフィルタを利用して信号の校正を実現し、被測定者の移動、肢体の揺動等のノイズの干渉を除去することができる。
【００１８】
図４に示すように、血流測定器はさらにコントローラユニット７００を含むことができる。コントローラユニット７００は光トランスミッタ２００に電気的に接続され、１つまたは複数の光トランスミッタ２００の発光強弱を制御する。これにより、異なる体表皮膚の厚さまたは皮膚の色に応じて異なる発光強弱を提供できる。または、光トランスミッタ２００の発光時点と期間（即ち、発光頻度）を制御し、光トランスミッタ２００を適切なタイミングで発光させることができる。
コントローラユニット７００はマイクロプロセッサ等のプログラマブルなコントローラチップ、またはハードウェア回路とすることができる。
【００１９】
図５に示すように、一実施例において、血流測定器１０はさらに計算装置８００を組み合わせて血流測定装置として使用することができる。
計算装置８００は有線または無線方式で血流測定器１０の信号出力インターフェイス５００に電気的に接続され、光レシーバ３００と傾きセンサー４００の測定信号を接受し、傾きセンサー４００の測定信号に基づき光レシーバ３００の測定信号を校正する。これにより、前述の信号前処理回路６００の信号処理方法と同じように、三軸加速度数値と三軸角加速度数値に基づき、光レシーバ３００の測定信号上のノイズを相殺することができる。これにより、計算装置８００はより正確な光信号を取得し、血流の情報を得ることができる。ここで、計算装置８００はパーソナルコンピューター、タブレット、携帯電話などの演算能力を備えた電子装置とすることができる。
【００２０】
上述をまとめると、本考案の実施例の血流測定器と血流測定装置は、生産コストが低く、被測定者に容易に使用することができる。同時に、傾きセンサーの信号が光レシーバの信号をより最適化し、光レシーバの信号の判読に有利である。
【符号の説明】
【００２１】
１０    血流測定器
１００  被覆片
１１０  測定表面
２００  光トランスミッタ
３００  光レシーバ
４００  傾きセンサー
４１０  三軸加速度計
４２０  三軸ジャイロスコープ
５００  信号出力インターフェイス
６００  信号前処理回路
７００  コントローラユニット
８００  計算装置
【図１】
0003215567.tif 000003
【図２】
0003215567.tif 000004
【図３】
0003215567.tif 000005
【図４】
0003215567.tif 000006
【図５】
0003215567.tif 000007
【図６】
0003215567.tif 000008
【図７】
0003215567.tif 000009
【図８】
0003215567.tif 000010
【図９】
0003215567.tif 000011